【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
建物内の雰囲気状態を制御する方法であって、
前記建物内に調和した流体を供給するステップと、
前記建物内の複数の位置において少なくとも１つの雰囲気パラメータを検知するステップと、
前記検知するステップの結果から、検知した雰囲気のマップを生成するステップであって、前記検知するステップで検知された内容を処理して前記検知した雰囲気のマップとして出力を生成するためにソフトウェアが用いられる、生成するステップと、
前記検知した雰囲気のマップをテンプレート雰囲気マップと比較するステップと、
前記検知した雰囲気のマップと前記テンプレート雰囲気マップとのパターン差を特定するステップと
を有することを特徴とする建物内の雰囲気状態を制御する方法。
【請求項２】
前記パターン差を低減する是正処置を決定するステップと、
前記是正処置を決定するステップに従って前記調和した流体の量、特性、および分布のうちの少なくとも１つを変更するステップと
をさらに有することを特徴とする請求項１に記載の建物内の雰囲気状態を制御する方法。
【請求項３】
前記供給するステップは、複数の通気孔のうちの少なくとも１つと、少なくとも１つのブロワと、少なくとも１つの調和した空気源とを有するシステムを動作させるステップを含むことを特徴とする、請求項２に記載の建物内の雰囲気状態を制御する方法。
【請求項４】
前記決定するステップは、前記パターン差の位置、サイズ、および強度のうちの少なくとも１つを、前記複数の通気孔の位置、前記少なくとも１つのブロワの速度、および前記少なくとも１つの調和した空気源の容量のうちの少なくとも１つに相関させることを含むことを特徴とする、請求項３に記載の建物内の雰囲気状態を制御する方法。
【請求項５】
前記変更するステップは、前記複数の通気口の開度、前記少なくとも１つのブロワの速度、および前記少なくとも１つの調和した空気源の出力量のうち、少なくとも１つを調整することを含むことを特徴とする、請求項４に記載の建物内の雰囲気状態を制御する方法。
【請求項６】
前記生成するステップは、温度マップ作成ソフトウェアを使用して、前記検知するステップからの入力を処理し、前記検知した雰囲気のマップとして出力を生成することを含むことを特徴とする、請求項１に記載の建物内の雰囲気状態を制御する方法。
【請求項７】
前記特定するステップは、パターン認識ソフトウェアを用いることを含むことを特徴とする、請求項１に記載の建物内の雰囲気状態を制御する方法。
【請求項８】
前記建物内の複数の位置において少なくとも１つの雰囲気パラメータを検知するステップにおいて、前記複数の位置には前記建物内の異なる高さに位置する複数の位置が含まれることを特徴とする、請求項１に記載の建物内の雰囲気状態を制御する方法。
【請求項９】
前記建物内の複数の位置において少なくとも１つの雰囲気パラメータを検知するステップは、温度センサ、湿度センサ、気圧センサ、パーティクルセンサ、煙センサ、および流体速度センサのうちの少なくとも１つを用いることを含むことを特徴とする、請求項１に記載の建物内の雰囲気状態を制御する方法。
【請求項１０】
前記検知した雰囲気のマップを生成するステップは、さまざまな等温領域を画定する等温線を有するマップを生成することを含むことを特徴とする、請求項１に記載の建物内の雰囲気状態を制御する方法。
【請求項１１】
前記前記検知した雰囲気のマップと前記テンプレート雰囲気マップとのパターン差を特定するステップは、１または複数のホットスポットを特定するために外挿法および三角測量法のうちの少なくともいずれかを用いることを含むことを特徴とする、請求項１に記載の建物内の雰囲気状態を制御する方法。
【請求項１２】
内部に機器を有するデータセンタを冷却する方法であって、
前記データセンタ内の前記機器を冷却するように前記データセンタ内に冷却流体を供給するステップと、
前記データセンタ内の複数の位置で温度を検知するステップと、
前記検知するステップの結果から、前記データセンタ内における、検知した温度のマップを生成するステップであって、前記検知するステップで検知された内容を処理して前記検知した温度のマップとして出力を生成するためにソフトウェアが用いられる、生成するステップと、
前記検知した温度のマップをテンプレート温度マップと比較するステップと、
前記検知した温度のマップと前記テンプレート温度マップとのパターン差を特定するステップと
を有することを特徴とする、内部に機器を有するデータセンタを冷却する方法。
【請求項１３】
前記パターン差を低減するために、是正処置を決定するステップと、
前記決定するステップに従って前記冷却流体の量、特性、および分布のうちの少なくとも１つを変更するステップと
をさらに有することを特徴とする、請求項１２に記載の内部に機器を有するデータセンタを冷却する方法。
【請求項１４】
前記供給するステップは、複数の通気孔のうちの少なくとも１つと、少なくとも１つのブロワと、少なくとも１つの調和した空気源とを有するシステムを動作させるステップを有することを特徴とする、請求項１３に記載の内部に機器を有するデータセンタを冷却する方法。
【請求項１５】
前記決定するステップは、前記パターン差の、位置、サイズ、および強度のうちの少なくとも１つを、前記複数の通気孔の位置、前記少なくとも１つのブロワの速度、および前記少なくとも１つの調和した空気源の容量のうちの少なくとも１つに相関させることを有することを特徴とする、請求項１４に記載の内部に機器を有するデータセンタを冷却する方法。
【請求項１６】
前記変更するステップは、前記複数の通気口のうちの少なくとも１つの開度、前記少なくとも１つのブロワの速度、および前記少なくとも１つの調和した空気源の出力量のうちの少なくとも１つを調節することを含むことを特徴とする請求項１５に記載の内部に機器を有するデータセンタを冷却する方法。
【請求項１７】
前記生成するステップは、温度マップ作成ソフトウェアを使用して、前記検知するステップからの入力を処理し、前記検知した温度のマップとして出力を生成することを含み、前記温度マップ作製ソフトウェアは、ホットスポットの存在する位置を三角測量法によって求めることを特徴とする、請求項１２に記載の内部に機器を有するデータセンタを冷却する方法。
【請求項１８】
前記特定するステップは、パターン認識ソフトウェアを用いることを含むことを特徴とする、請求項１２に記載の内部に機器を有するデータセンタを冷却する方法。
【請求項１９】
前記データセンタ内の複数の位置で温度を検知するステップにおいて、前記複数の位置には前記データセンタ内の異なる高さに位置する複数の位置が含まれることを特徴とする、請求項１２に記載の内部に機器を有するデータセンタを冷却する方法。
【請求項２０】
前記検知した温度のマップを生成するステップは、さまざまな等温領域を画定する等温線を有するマップを生成することを含むことを特徴とする、請求項１２に記載の内部に機器を有するデータセンタを冷却する方法。
【手続補正２】
【補正対象書類名】明細書
【補正対象項目名】００１３
【補正方法】変更
【補正の内容】
【００１３】
雰囲気センサ１２は、１つまたは複数の雰囲気パラメータを測定するために使用され、熱電対、温度変換器、サーミスタ等の温度センサを包含する。雰囲気センサ１２はまた、湿度センサ、気圧センサ、流体速度センサ、パーティクルセンサ、煙センサ等を含んでもよい。雰囲気センサ１２を、データセンタタイプの建物（図示せず）中の、雰囲気を制御されることが望まれる複数の部分にわたって配置する。特に、雰囲気センサ１２を、種々の方法で配置してもよい。たとえば、雰囲気センサ１２を、さまざまな位置および高さにランダムに分散させてもよく、あるいは所定の座標格子に従って整列させてもよく、あるいは通気孔および／またはラックの位置に位置合せして配置してもよく、あるいはコンピュータによる流体力学モデルからの推奨に従って配置してもよい。いずれの場合も、数万平方フィートもの寸法になる非常に大型のデータセンタには、何千もの雰囲気センサ１２を分散させる必要のある可能性がある、と考えられる。雰囲気センサ１２は、有線または無線の遠隔測定を介してＣＰＵ１４と電子的に通信する。いずれの場合も、ＣＰＵ１４は、各雰囲気センサ１２の位置を、各々の出力を「マップ化する」ことができるように追跡することができる。